(57)【特許請求の範囲】
【請求項１】
バッテリーパックに含まれる複数の円筒型二次電池セル（以下、「セル」とする）を有する４つのバッテリーモジュールが電気的に直列接続されたバッテリーモジュール集合体用の内部ケースであって、
前記バッテリーモジュール集合体の側面のうち、対向する両側面に接する側面フレームと、
前記バッテリーモジュール集合体の上部面に接する上部フレームと、
前記バッテリーモジュール集合体の電極に電気的に接続され、前記上部フレームの上端に位置した電極ポストと、を含むことを特徴とするバッテリーモジュール集合体用の内部ケース。
【請求項２】
前記内部ケースには、前記バッテリーモジュール集合体に含まれたバッテリーモジュールに形成された螺線に、前記側面フレームに形成された穴及びねじを用いて結合されることを特徴とする請求項１に記載のバッテリーモジュール集合体用の内部ケース。
【請求項３】
前記側面フレームには、前記セルの放熱のための穴が形成されていることを特徴とする請求項１に記載のバッテリーモジュール集合体用の内部ケース。
【請求項４】
前記電極ポストには、前記バッテリーモジュール集合体の上端に連結されたバスバーによって電気的に接続されることを特徴とする請求項１に記載のバッテリーモジュール集合体用の内部ケース。
【請求項５】
前記上部フレームは、取っ手が形成されていることを特徴とする請求項１に記載のバッテリーモジュール集合体用の内部ケース。
【請求項６】
前記上部フレームは、バッテリー管理装置が装着される空間が形成されていることを特徴とする請求項１に記載のバッテリーモジュール集合体用の内部ケース。
【請求項７】
前記上部フレーム及び前記側面フレームは、高分子物質からなることを特徴とする請求項１に記載のバッテリーモジュール集合体用の内部ケース。
【請求項８】
前記高分子物質は、ポリカーボネートであることを特徴とする請求項７に記載のバッテリーモジュール集合体用の内部ケース。
【請求項９】
前記高分子物質は、アクリロニトリル−ブタジエン−スチレン樹脂であることを特徴とする請求項７に記載のバッテリーモジュール集合体用の内部ケース。
【請求項１０】
前記高分子物質は、ハロゲン族元素が含まれていないポリカーボネートとアクリロニトリル−ブタジエン−スチレン樹脂との混合物であることを特徴とする請求項７に記載のバッテリーモジュール集合体用の内部ケース。
【発明の詳細な説明】
【技術分野】
【０００１】
本発明は、バッテリーモジュールに関し、より詳しくは、自動車用バッテリーパックに含まれるバッテリーモジュール集合体用の内部ケースに関する。
【０００２】
本出願は、２０１３年４月２９日出願の韓国特許出願第１０−２０１３−００４７４７５号及び２０１３年５月３１日出願の韓国特許出願第１０−２０１３−００６３０９１号に基づく優先権を主張し、該当出願の明細書及び図面に開示された内容は、すべて本出願に援用される。
【背景技術】
【０００３】
二次電池は、製品群に応じた適用性が高く、且つ、高いエネルギー密度などの電気的特性を有するため、携帯用機器だけでなく、電気的駆動源によって駆動する電気自動車（ＥＶ、Ｅｌｅｃｔｒｉｃ  Ｖｅｈｉｃｌｅ）またはハイブリッド自動車（ＨＥＶ、Ｈｙｂｒｉｄ  Ｅｌｅｃｔｒｉｃ  Ｖｅｈｉｃｌｅ）などに適用されつつある。このような二次電池は、化石燃料の使用を画期的に減少できるという一次的な長所だけでなく、エネルギー使用に伴う副産物が全く生じないという点で、環境にやさしく、エネルギー効率を向上できるため、新しいエネルギー源として注目を集めている。
【０００４】
現在、広く使用される二次電池の種類としては、リチウムイオン電池、リチウムポリマー電池、ニッケルカドミウム電池、ニッケル水素電池、ニッケル亜鉛電池などがある。このような単位二次電池セルの作動電圧は約２．５Ｖ〜４．２Ｖである。したがって、これよりさらに高い出力電圧が要求される場合、複数の二次電池セルを直列接続してバッテリーパックを構成する。また、バッテリーパックに要求される充放電容量によって複数の二次電池セルを並列接続してバッテリーパックを構成し得る。したがって、前記バッテリーパックに含まれる二次電池セルの数は、要求される出力電圧または充放電容量によって多様に設定し得る。
【０００５】
なお、複数の二次電池セルを直列・並列接続してバッテリーパックを構成する場合、バッテリーパックに含まれた二次電池セルは、電気的かつ機械的に堅固に接続する必要がある。したがって、このように二次電池セルの接続が堅固になされるようにする安定的かつ経済的なバッテリーモジュール集合体用の内部ケース及びバッテリーパックのデザインが要求される。
【発明の概要】
【発明が解決しようとする課題】
【０００６】
本発明は、上記問題点に鑑みてなされたものであり、バッテリーモジュール集合体用の内部ケースを提供することを目的とする。
【課題を解決するための手段】
【０００７】
上記の課題を達成するため、本発明によるバッテリーモジュール集合体用の内部ケースは、バッテリーパックに含まれる複数の円筒型二次電池セル（以下、「セル」とする）を有する４つのバッテリーモジュールが電気的に直列接続されたバッテリーモジュール集合体用の内部ケースであって、前記バッテリーモジュール集合体の側面のうち、対向する両側面に接する側面フレームと、前記バッテリーモジュール集合体の上部面に接する上部フレームと、前記バッテリーモジュール集合体の電極に電気的に接続され、前記上部フレームの上端に位置した電極ポストと、を含む。
【０００８】
本発明の一実施例によれば、前記内部ケースは、前記バッテリーモジュール集合体に含まれたバッテリーモジュールに形成された螺線に、前記側面フレームに形成された穴及びねじを用いて結合されることができる。
【０００９】
本発明の一実施例によれば、前記側面フレームには、前記セルの放熱のための穴が形成されることができる。
【００１０】
本発明の一実施例によれば、前記電極ポストは、前記バッテリーモジュール集合体の上端に連結されたバスバーによって電気的に接続されることができる。
【００１１】
本発明の一実施例によれば、前記上部フレームには、取っ手が形成されることができる。
【００１２】
本発明の一実施例によれば、前記上部フレームには、バッテリー管理装置が装着される空間が形成されることができる。
【００１３】
本発明の一実施例によれば、前記上部フレーム及び前記側面フレームは、高分子物質からなることができる。この際、前記高分子物質は、ポリカーボネート（ＰｏｌｙＣａｒｂｏｎａｔｅ）、アクリロニトリル−ブタジエン−スチレン樹脂（Ａｃｒｙｌｏｎｉｔｒｉｌｅ−Ｂｕｔａｄｉｅｎｅ−Ｓｔｙｒｅｎｅ  ｒｅｓｉｎ）またはハロゲン族元素が含まれていないポリカーボネート（ＰＣ）とアクリロニトリル−ブタジエン−スチレン樹脂（ＡＢＳ）との混合物であり得る。
【発明の効果】
【００１４】
本発明の一側面によれば、複数の二次電池セルを収容する安定的かつ経済的なバッテリーモジュール集合体用の内部ケースを提供することができる。
【００１５】
本発明の他の側面によれば、内部ケースは前記バッテリーモジュール集合体の横方向及び縦方向の振動を防止することができる。
【００１６】
本発明のさらに他の側面によれば、前記バッテリーモジュール集合体で発生した熱が、内部ケースの上部フレーム上に装着されたバッテリー管理装置に伝達されることを遮断することができる。
【図面の簡単な説明】
【００１７】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【００１８】
【図１】本発明の一実施例によるバッテリーモジュール集合体用の内部ケースを含むバッテリーパックを示す斜視図である。
【図２】本発明の一実施例による内部ケースを含むバッテリーパックの分解斜視図である。
【図３】本発明の一実施例による内部ケースがバッテリーモジュール集合体に結合された様子を示した斜視図である。
【図４】本発明の一実施例による内部ケースがバッテリーモジュール集合体に結合された状態を示した透視図である。
【発明を実施するための形態】
【００１９】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２０】
図１は、本発明の一実施例によるバッテリーモジュール集合体用の内部ケース３０(以下、「内部ケース」とする)を含むバッテリーパック１を示す斜視図である。
【００２１】
図１に示したバッテリーパック１は、自動車、ハイブリッド自動車、電気自動車などに設けられ得る自動車用バッテリーパックである。
【００２２】
望ましくは、前記バッテリーパック１の大きさは、自動車用標準バッテリーの規格に準ずる。したがって、前記バッテリーパック１は、全体的に六面体の形状を有し得る。
【００２３】
さらに、望ましくは、前記内部ケース３０も、自動車用標準バッテリーの規格に準ずる大きさを有し得る。しかし、前記バッテリーパック１及び内部ケース３０の大きさは、前記例に制限されず、実施例によって、横、縦、高さの長さは多様に変更し得る。
【００２４】
図２は、本発明の一実施例による内部ケース３０を含むバッテリーパック１の分解斜視図である。
【００２５】
本発明の一実施例によるバッテリーパック１は、自動車用であって１２Ｖの作動電圧を有し得る。そして、本発明の一実施例による二次電池セル６２は、３Ｖの作動電圧を有し得る。したがって、４つのバッテリーモジュール６０は、直列接続されてバッテリーモジュール集合体５０を構成し得る。
【００２６】
そして、前記バッテリーモジュール集合体５０及び内部ケース３０が、上部パックケース１０と下部パックケース７０との間に介され、バッテリーパック１を構成する。
【００２７】
以下、前記バッテリーモジュール集合体５０を囲み、前記バッテリーパック１に含まれる内部ケース３０について説明する。
【００２８】
図２を参照すれば、本発明による内部ケース３０は、側面フレーム３１、上部フレーム３２及び電極ポスト３３を含む。
【００２９】
前記側面フレーム３１は、前記バッテリーモジュール集合体５０の側面のうち、対向する両側面に接する。そして、前記上部フレーム３２は、前記バッテリーモジュール集合体５０の上部面に接する。したがって、前記内部ケース３０は、前記バッテリーモジュール集合体５０を囲む形状を有している。
【００３０】
図３は、本発明の一実施例による内部ケース３０がバッテリーモジュール集合体５０に結合された様子を示した斜視図である。
【００３１】
図３を参照すれば、前記内部ケース３０と前記バッテリーモジュール集合体５０とが結合された様子を確認することができる。
【００３２】
本発明の一実施例によれば、前記内部ケース３０と前記バッテリーモジュール集合体５０とは、ねじによって結合される。前記バッテリーモジュール集合体５０に含まれたバッテリーモジュール６０には、螺線６８が形成されている。そして、前記側面フレーム３１には、ねじが通過可能な穴が形成されている。したがって、前記螺線６８と穴に、ねじを用いて前記内部ケース３０と前記バッテリーモジュール集合体５０とが結合できる。
【００３３】
本発明の一実施例によれば、前記側面フレーム３１には、前記バッテリーモジュール６０に含まれた二次電池セルの放熱のための穴が形成されている。
【００３４】
本発明の一実施例による内部ケース３０は、前記バッテリーモジュール集合体５０の電極に電気的に接続され得る。また、前記内部ケース３０は、電極ポスト３３を含み、このような電極ポスト３３は、前記上部フレーム３２の上端に位置する。
【００３５】
前記電極ポスト３３は、バッテリーモジュール集合体５０の高電位端子及び低電位端子にそれぞれ連結され、前記バッテリーモジュール集合体５０が外部と電気的に接続されるようにする端子の役割をする。
【００３６】
図４は、本発明の一実施例による内部ケース３０がバッテリーモジュール集合体５０に結合された状態を示した透視図である。
【００３７】
図４を参照すれば、前記バッテリーモジュール集合体５０の上端にバスバー３４が連結されたことを確認することができる。前記バスバー３４は、前記電極ポスト３３と電気的に接続できる。
【００３８】
そして、前記電極ポスト３３は前記バスバー３４に接続されるために、予め設定された金属板を含み得る。前記金属板と前記バスバー３４とは、ねじによって結合できる。
【００３９】
図３を再度参照すれば、本発明の一実施例によれば、前記上部フレーム３２には取っ手３５が形成される。
【００４０】
前記取っ手３５は、図２に示した前記下部パックケース７０に対する前記バッテリーモジュール集合体５０の収納及び取出し作業を容易にする。
【００４１】
本発明の一実施例によれば、前記上部フレーム３２には、バッテリー管理装置(Ｂａｔｔｅｒｙ  Ｍａｎａｇｅｍｅｎｔ  Ｕｎｉｔ、以下、「ＢＭＵ」とする)が設けられる空間３６が形成されている。前記ＢＭＵは、充放電電流、各二次電池セル６２の電圧または電流を含む電気的特性値の測定、充放電制御、電圧の平滑化(ｅｑｕａｌｉｚａｔｉｏｎ)制御、ＳＯＣ(Ｓｔａｔｅ  Ｏｆ  Ｃｈａｒｇｅ)の推定などを含み、当業者の水準で適用可能な多様な制御機能を行うことができる。
【００４２】
前記上部フレーム３２及び前記側面フレーム３１は、高分子物質からなり得る。
【００４３】
本発明の一実施例によれば、前記高分子物質は、ポリカーボネート、アクリロニトリル−ブタジエン−スチレン樹脂、またはハロゲン族元素が含まれていないポリカーボネートとアクリロニトリル−ブタジエン−スタイレン樹脂との混合物である。
【００４４】
本発明によれば、複数の二次電池セルを収容する安定的かつ経済的なバッテリーモジュール集合体用の内部ケースを提供することができる。そして、このような内部ケースは、前記バッテリーモジュール集合体の横方向及び縦方向の振動を防止可能であり、さらに、前記バッテリーモジュール集合体で発生した熱が、内部ケースの上部フレーム上に設けられたバッテリー管理装置に伝達されることを遮断することができる。
【００４５】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【符号の説明】
【００４６】
１  バッテリーパック
１０  上部パックケース
３０  内部ケース
３１  側面フレーム
３２  上部フレーム
３３  電極ポスト
３４  バスバー
３５  手
３６  空間
５０  バッテリーモジュール集合体
６０  バッテリーモジュール
６２  二次電池セル
６８  螺線
７０  下部パックケース
【図１】
0005991792.tif 000002
【図２】
0005991792.tif 000003
【図３】
0005991792.tif 000004
【図４】
0005991792.tif 000005